(57)【要約】【課題】  改装ドアにおける既設ドア枠の室内側見込面に収容する厚さ規制を受ける新設ドアの錠をプッシュプル錠としてデザインと使い勝手を良好にする。【解決手段】  プッシュプル錠３の施錠機構を上下一対の錠ケース３１内に別個に収納して、これらを新設ドア２の室内側見付面に固定し、これを台座としてハンドル３４を固定し、室外側見付面にハンドル３４を直付けする。既設ドア枠１の戸当側縦枠１１に該上下の錠ケース３１のラッチ３２を受入係止するラッチ受孔５１を透設した細幅にして３０ｃｍ程度のボックス状添設部材５を固定する。既設ドア枠１の規制によって４ｃｍ厚とした新設ドア２に、５〜６ｃｍ以上のドア厚を前提としてこれに内蔵するプッシュプル錠３を設置できる。錠ケース３１は一連のカバー３３で被覆する。【選択図】  図８
2010222789.tif 000002
【特許請求の範囲】
【請求項１】
既設ドアを撤去して残存した既設ドア枠に新設ドアを設置した改装ドアであって、該新設ドアの室内側見付面において室内側に突出配置した上下一対の錠ケースを受座としてハンドルを固定し、室外側見付面において該見付面に直付けしてハンドルを固定することによってプッシュプル錠を設置するとともに既設ドア枠における戸当側縦枠の室内側見込面に上記錠ケースからの各ラッチ用上下一対のラッチ受孔を配置してなることを特徴とする改装ドア。
【請求項２】
上記上下一対の錠ケースを、新設ドアにおける室内側見付面の端部に近接配置する一方、上記上下一対のラッチ受孔を、上記戸当側縦枠の室内側見込面に部分的な切欠加工を施し且つ裏面のモルタルを除去して現場配置した加工孔を被覆したラッチ受に配置してなることを特徴とする請求項１に記載の改装ドア。
【請求項３】
上記上下一対の錠ケースを、新設ドアにおける室内側見付面の端部から離隔配置する一方、上下一対のラッチ受孔を、上記戸当側縦枠の室内側見込面に添設固定した添設縦枠乃至添設部材に配置してなることを特徴とする請求項１に記載の改装ドア。
【発明の詳細な説明】
【技術分野】
【０００１】
本発明は、既設ドアを撤去して残存した既設ドア枠に新設ドアを設置した改装ドアに関する。
【背景技術】
【０００２】
この種改装ドアとして、既設ドア枠を撤去して残存した既設ドア枠に新設ドアを設置したものが知られている。この場合、既設ドア枠は、既設ドアを受け入れる室外側見込面と、該室外側見込面から面内方向に突出して細幅の見付面をなす戸当り段部と、該戸当り段部の開口端から室内側に向けた室内側見込面を、断面Ｓ字状に配置したものとされ、既設ドアに代替的に設置した新設ドアは、その室内側見付面の外周を断面Ｌ字状とし、該外周に戸当り段部に対接するように気密材を設置することによって、既設ドア枠と新設ドア間の気密性を確保したものとされている。
【０００３】
また、このとき新設ドアは、既設ドアと同様に室内外のノブを回転してラッチを突没自在とするラッチ錠を設置して、既設ドア枠における戸当側縦枠に既存の、既設ドア用のラッチ受孔を共用して使用するのが一般である。
【先行技術文献】
【特許文献】
【０００４】
【特許文献１】特開２００５−３０７６９６号公報
【発明の概要】
【発明が解決しようとする課題】
【０００５】
この場合、既設ドア枠を活用して、新設ドアを設置すればよく、従って、ドア改装工法として知られる斫り工法、カバー工法に比して、工事が簡易であるため、工期が短く、工事騒音や塵埃の発生がなく、また改装後のドア開口が狭小化したりすることがなく、気密性の確保、ラッチ錠によるドアの施開錠の確保がなされるから、ドア改装としてのメリットが多い。
【０００６】
しかし乍ら、近時、新築建造物に設置する新装ドアにプッシュプル錠が広く採用され、この場合、プッシュプル錠がドアデザインを向上するとともにプッシュプル錠自体のデザインも豊富であるため、ドア改装に際して該プッシュプル錠の採用が求められる。
【０００７】
しかし乍ら、上記改装ドアは、既設ドア枠を使用するところ、該既設ドア枠の室外側見込面の見込（奥行）は、いわゆるＫＪドアの規格に沿って４ｃｍ程度、正確には４１ｍｍとされるのが一般であり、従って新設ドアの厚さも一般に４ｃｍ程度、例えば４０ｍｍとされる。一方、プッシュプル錠は、一般に見込が５ｃｍ以上、例えば５．４ｃｍ、６．６ｃｍのドアに錠ケースを内蔵してその設置を行なって、該錠ケースに対応して、ドア枠の室外側見込面にラッチ受孔を設置して、その施開錠を行なうものとされるから、改装ドアの新設ドアにプッシュプル錠を設置するには新設ドアの厚さを、１．５ｃｍ以上厚くする必要が生じるが、新設ドアの厚さを厚くすると、既設ドア枠に新設ドアを設置できず、従ってドア改装をなし得ないという結果を招く。  
【０００８】
本発明はかかる事情に鑑みてなされたもので、その解決課題とするところは、可及的簡易な構造によって新設ドアにプッシュプル錠を設置することによって、デザインや使い勝手を良好とした改装ドアを提供するにある。
【課題を解決するための手段】
【０００９】
上記課題に沿って本発明は、新設ドアの厚さを前提として、錠ケースを上下に一対用い、これを新設ドアの室内側見付面に面付状に室内側の、既設ドア枠の室内側見込面の面内に突出するように設置し、室内側において該上下に一対の錠ケースをプッシュプル錠におけるハンドル上下の受座として、該錠ケースを介してハンドル上下端の台座を固定し、室外側において新設ドアの上記錠ケースに合せた位置の室外側見付面に直付け状にハンドルの台座を固定する一方、施開錠によって錠ケースから突没する一対のラッチに対面する、既設ドア枠の戸当側縦枠に該ラッチを受ける上下一対のラッチ受孔を配置することによって、上記ドア改装の厚さの制約を受ける新設ドアにプッシュプル錠の設置とその施開錠を可能としたものであって、即ち、請求項１に記載の発明を、既設ドアを撤去して残存した既設ドア枠に新設ドアを設置した改装ドアであって、該新設ドアの室内側見付面において室内側に突出配置した上下一対の錠ケースを受座としてハンドルを固定し、室外側見付面において該見付面に直付けしてハンドルを固定することによってプッシュプル錠を設置するとともに既設ドア枠における戸当側縦枠の室内側見込面に上記錠ケースからの各ラッチ用上下一対のラッチ受孔を配置してなることを特徴とする改装ドアとしたものである。
【００１０】
請求項２に記載の発明は、上記に加えて、上記上下一対のラッチ受孔を、現場加工によって上記戸当側縦枠に切欠孔を形成するとともにその裏面に充填されたモルタルを、ラッチの受入に必要な深さに除去して、上下に連通し又は上下に個別のラッチ受孔を形成し且つその見込面を覆うようにラッチ受（ストライクといってもよい）を配置するようにして、上記改装ドアのメリットである、既設ドアと同一のドア開口を確保しつつ、プッシュプル錠の設置を行なったものとするように、これを、上記上下一対の錠ケースを、新設ドアにおける室内側見付面の端部から離隔配置する一方、上下一対のラッチ受孔を、上記戸当側縦枠の室内側見込面への配置に代えて、該見込面に添設固定した添設縦枠乃至添設部材に配置してなることを特徴とする請求項１に記載の改装ドアとしたものである。
【００１１】
請求項３に記載の発明は、同じく上記に加えて、上記現場加工を行なうとき、現場によっては、モルタルが密に充填され、上記現場加工の作業に支障を生じたり、現場加工による幾分の騒音や塵埃発生が生じたりするところ、このような現場加工を行なうに不適当或いは施主の希望がある場合に、幾分のドア開口の狭小化を招くも、一対のラッチ孔を備えた工場生産部材を既設ドア枠の上記室内側見込面に添設して、現場加工を回避して、該工場生産部材と上記錠ケースとの間で施開錠を行なうようにしてプッシュプル錠の設置を行なったものとするように、これを、上記上下一対の錠ケースを、新設ドアにおける室内側見付面の端部から離隔配置する一方、上下一対のラッチ受孔を、上記戸当側縦枠の室内側見込面への配置に代えて、該見込面に添設固定した添設縦枠乃至添設部材に配置してなることを特徴とする請求項１に記載の改装ドアとしたものである。
【００１２】
本発明はこれらをそれぞれ発明の要旨として、上記課題解決の手段としたものである。
【発明の効果】
【００１３】
本発明は以上のとおりに構成したから、請求項１に記載の発明は、新設ドアの厚さを前提として、錠ケースを上下に一対用い、これを新設ドアの室内側見付面に面付状に室内側の、既設ドア枠の室内側見込面の面内に突出するように設置し、室内側において該上下に一対の錠ケースをプッシュプル錠におけるハンドル上下の受座として、該錠ケースを介してハンドル上下端の台座を固定する一方、室外側において新設ドアの上記錠ケースに合せた位置の室外側見付面に直付け状にハンドルの台座を固定する一方、施開錠によって錠ケースから突没する一対のラッチに対面する、既設ドア枠の戸当側縦枠に該ラッチを受ける上下一対のラッチ受孔を配置することによって、上記ドア改装の厚さの制約を受ける新設ドアにプッシュプル錠の設置とその施開錠を可能として、可及的簡易な構造によって新設ドアにプッシュプル錠を設置することによってドア改装の普及に有効な改装ドアを提供することができる。
【００１４】
請求項２に記載の発明は、上記に加えて、上記上下一対のラッチ受孔を、現場加工によって上記戸当側縦枠に切欠孔を形成するとともにその裏面に充填されたモルタルを、ラッチの受入に必要な深さに除去して、上下に連通し又は上下に個別のラッチ受孔を形成し且つその見込面を覆うようにラッチ受（ストライクといってもよい）を配置するようにして、上記改装ドアのメリットである、既設ドアと同一のドア開口を確保しつつ、プッシュプル錠の設置を行なったものとすることができる。
【００１５】
請求項３に記載の発明は、同じく上記に加えて、上記現場加工を行なうとき、現場によっては、モルタルが密に充填され、上記現場加工の作業に支障を生じたり、現場加工による幾分の騒音や塵埃発生が生じたりするところ、このような現場加工を行なうに不適当或いは施主の希望がある場合に、幾分のドア開口の狭小化を招くも、一対のラッチ孔を備えた工場生産部材を既設ドア枠の上記室内側見込面に添設して、現場加工を回避して、該工場生産部材と上記錠ケースとの間で施開錠を行なうようにしてプッシュプル錠の設置を行なったものとすることができる。
【図面の簡単な説明】
【００１６】
【図１】改装ドアの正面図である。
【図２】改装ドアの背面図である。
【図３】改装ドアの横断面図である。
【図４】既設縦枠の部分正面図である。
【図５】他の例に係る改装ドアの正面図である。
【図６】改装ドアの背面図である。
【図７】改装ドアの横断面図である。
【図８】プッシュプル錠部分の拡大正面図である。
【図９】添設縦枠の側面図である。
【図１０】添設部材とラッチの関係を示す部分縦断面図である。
【発明を実施するための形態】
【００１７】
以下図面の例に従って本発明を更に具体的に説明すれば、図１乃至図５においてＡは、既設ドアを撤去して残存した既設ドア枠１に新設ドア２を設置した改装ドアであり、該改装ドアＡは、上記新設ドア２の室内側見付面において室内側に突出配置した上下一対の錠ケース３１を受座としてハンドル３４を固定し、室外側見付面において該見付面に直付けしてハンドル３４を固定することによってプッシュプル錠３を設置するとともに既設ドア枠１における戸当側縦枠１１の室内側見込面に上記錠ケース３１からの各ラッチ３２受け用上下一対のラッチ受孔４１、５１を配置したものとし、該プッシュプル錠３によって新設ドア２の施開錠を行なうものとしてある。
【００１８】
即ち、改装ドアＡは、例えば、所謂ＫＪドアの既設ドア、即ち、鋼板をプレス成形して形成して既設ドア枠に吊支持したプレスドアをとこれを吊支持したヒンジを撤去し、残存した既設ドア枠１に、例えば耐震用のヒンジ１２を用いて、断熱防音材を充填した両面フラッシュドアによる新設ドア２を吊支持することによって、その改装を行なったものとしてある。このとき、該新設ドア２は、そのドア厚さを、既設ドア枠１における室外側見込面の見込幅４１ｍｍに合せて、これに納まるように４０ｍｍとしたものとしてあり、また、該新設ドア２は、その室内側見付面の外周に断面Ｌ字状の段部を配置して、該段部に断面Ｕ字状の気密材受枠を配置し、該受枠に、例えば断面Ｔ字状の気密材２１を装着し、これを既設ドア枠１の戸当段部に対接することによって、既設ドア枠１との間で気密性を確保したものとしてある。
【００１９】
このとき、錠ケース３１は、ステンレスのボックス状にして上下一対の正面矩形をなすものとして、ハンドル３４の操作によってラッチ３２を突没する施錠機構をそれぞれ別個に内蔵したて上下に分離した一対のものとしてあり、例えばその四隅のコーナー位置のネジを新設ドア２の中骨に螺入するによって、上記室内側見付面にそれぞれ面付状に固定してあり、室内側見付面に固定した該錠ケース３１は、これをそれぞれ上下の受座として、室内側ハンドル３４の上下の台座を対接して、該各台座からのネジによって該ハンドル３４を錠ケース３１に固定してあり、一方、室外側ハンドル３４は、上記受座を用いることなく、その上下の台座を直接に室外側見付面に対接して同様に各台座からのネジによって該ハンドル３４を該見付面に直付けして固定してある。このとき上下のハンドル３４の各連結レバーを、室内側において錠ケース３１のボックスに透設した透孔を介して錠ケース３１内の施錠機構に連結し、また室外側において新設ドア２の表面板に透設した透孔を介して該新設ドア２を横断するように、同様に連結バーを該錠ケース３１内の施錠機構に連結してあり、これによって室内外いずれかのハンドル３４操作によって連結バーを介して施錠機構を作動して、そのラッチ３２の突没を行うようにしてある。
【００２０】
本例にあって、上下一対の錠ケース３１は、本例にあってこれらを一連に被覆する、例えばステンレス、化粧鋼板等適宜な金属製のカバー３３を設置して該錠ケース３１の露出を防止するようにしてあり、従って、本例にあって、該錠ケース３１を台座とする上記ハンドル３４の固定は、これを該カバー３３を介して行ったものとしてある。
【００２１】
このとき、本例の上下一対の錠ケース３１は、これを、新設ドア２における室内側見付面の端部に近接配置する一方、上記上下一対のラッチ受孔４１を、上記戸当側縦枠１１の室内側見込面に部分的な切欠加工を施し且つ裏面のモルタルを除去することによって現場形成した加工孔を被覆した各ラッチ受孔４１毎の上下に一対のラッチ受４に配置したものとしてあり、これによって本例の上記ハンドル３４操作によるラッチ３２の突没は、既設ドア枠１の上下一対のラッチ受４に対して行うようにしてある。４２は、上位の錠ケース３１からのラッチ受孔４１に加えて配置したサムターンのラッチ受孔である。
【００２２】
即ち、新設ドア２の室内側見付面に設置した上記上下一対の錠ケース３１は、その突没自在のラッチ３２が、その突出状態で、既設ドア枠１の戸当側縦枠１１のラッチ受孔４１に突入してこれに確実に係止してその施錠をなし得るように、新設ドアの室内側見付面の端部、即ち戸当側縦枠１１の側に位置する端部に可及的に近接して数ｍｍ程度、特に２〜３ｍｍの位置に配置してあり、上記カバー３３を付した本例の錠ケース３１にあっては、該カバー３が、新設ドア２の上記気密材２１を設置した段部から数ｍｍ、特に２〜３ｍｍの近接位置となるようにその配置を行なってある。
【００２３】
一方、ラッチ受４は、既設ドア枠１の上記戸当側縦枠１１の室内側見付面に上記錠ケース３１のラッチ３２位置に合せた長手方向中間に、例えば上下２ヶ所の切欠加工と該２箇所の裏面モルタルを斫ってその除去を行った切欠孔の縁部を化粧被覆するように、該戸当側縦枠１１の室内側見付面に、例えばネジ止めすることによって上下に一対固定してあり、該ラッチ受４に、上記上下一対のラッチ受孔４１、本例にあっては上位のラッチ受４には更に上記サムターン用のラッチ受孔４２を配置してある。
【００２４】
従って本例の新設ドア２は、既設ドア枠１の戸当側縦枠１１の室外側見込面の、上記４１ｍｍに合せた４０ｍｍ厚さのものとしながら、上記５乃至６．５ｃｍ程度の厚さの新装ドアに内蔵することを前提としたプッシュプル錠３を設置して、該プッシュプル錠３と既設ドア枠１との間で、その施開錠を行うようにすることができ、既設ドアと同一のドア開口を確保して狭小化のない改装ドアにあって、そのデザインと使い勝手を良好なものとすることができる。
【００２５】
図６乃至図９は、他の例を示すもので、本例にあって、改装ドアＡにおける新設ドア２は、その上記上下一対の錠ケース３１を、新設ドア２における室内側見付面の戸当側縦枠１１の端部から離隔配置する一方、上下一対のラッチ受孔５１を、上記戸当側縦枠１１の室内側見込面に添設固定した添設縦枠乃至添設部材５に配置した例である。
【００２６】
本例にあって、錠ケース３１は、新設ドア２の室内側見付面の端部、同じく戸当側縦枠１１の側に位置する端部において、新設ドア２の上記気密材２１を設置した段部から、ラッチ３２の突出長さに応じた寸法を面内方向に幾分離隔するように、例えば数ｃｍ以下、本例にあっては２ｃｍ程度離隔した位置として、これを上記と同様に新設ドア２の室内側見付面に設置してある。
【００２７】
一方、上記上下一対のラッチ受孔５１は、本例にあって上記添設部材５に配置してあり、本例にあって該添設部材５は、これを、戸当側縦枠１１の室内側見込面から、上記錠ケース３１の端部からの離隔寸法に応じてラッチ３２を受入係止して、上記施開錠を行なうに必要な突出幅、本例にあっては２ｃｍ程度の細幅の突出幅にして、例えば、３０ｃｍ程度の長さを有する、同じくステンレス、１〜２ｍｍ程度の厚肉の化粧鋼板等の金属製の長寸部材としてあり、このとき本例の該添設部材５の長さは、これを、上記錠ケース３１を被覆したカバー３３と同長のものとしてあり、これによって、添設部材５を戸当側縦枠１１に設置した室内外観を可及的良好として違和感のないものとしてある。
【００２８】
添設部材５は、ボックス状、本例にあって上下を閉塞した断面Ｃ字状の上記細幅長寸にして一体のボックス状として、その長手方向中間に、錠ケース３１のラッチ３２位置に合せて上記上下一対のラッチ受孔５１、本例にあっては更に上記と同様にサムターン用のラッチ受孔５２を透設して配置したものとする一方、各ラッチ受孔５１位置における添設部材５の中空部内に、該ラッチ受孔５１の上下を内部で区画し且つ該ラッチ受孔５１の開口から、戸先側縦枠１１に対接した底面を該戸先側縦枠１１の室内側見付面にネジ止めするによって添設固定した、該断面Ｃ字状の添設部材５を補強する補強兼用にして該添設部材５にあって上記錠ケース３１のラッチ３２、上位にあっては同時にサムターンのラッチを受入れ収容する同じく金属製の受箱５３を配置してある。
【００２９】
従って本例にあって新設ドア２は、同じく、その厚さを４ｃｍ程度、特に４０ｍｍとしながら、同様にプッシュプル錠３を設置し、該プッシュプル錠３と既設ドア枠１との間でその施開錠を行うものとして、改装ドアＡのデザインと使い勝手を向上したものとすることができ、また、本例の改装ドアＡは、上記添設部材５を用いるも、該添設部材５の突出幅は、上記ラッチ３２を受入れて、これを既設ドア枠１の戸先側縦枠１１に係止するに必要な程度の細幅とすることができる上、該添設部材５は、既設ドア枠１における戸当側縦枠１１の長手方向中間位置に部分的に設置することによって、ドア開口に上記突出幅分の狭小化部分を生じるも、その余の狭小化を招くことなく、添設部材５を設置しながらその狭小化を可及的に抑制したものとしてあり、更に、本例の改装ドアＡにあっては、添設部材５を工場生産部材として現場で既設ドア枠１に後付的に固定すればよいから、既設ドア枠１に対する上記例のような現場加工を解消し、改装工事を簡易化するとともに該工事に伴う騒音や塵埃発生を防止することができる。
【００３０】
図示した例は以上のとおりとしたが、上記戸当側縦枠の室内側見込面に添設固定した添設縦枠に上下一対のラッチ受孔を配置すること、添設部材を用いるとき、これを上下の各ラッチ受孔を配置した一対の短寸部材乃至ピース部材とすること等を含めて、本発明の実施に当って、既設ドア枠、ラッチ受孔、新設ドア枠、プッシュプル錠、錠ケース、ラッチ、ハンドル、必要に応じて用いるラッチ受、添設縦枠、添設部材の各具体的形状、構造、材質、これらの関係、これらに対する付加等は、上記発明の要旨に反しない限り様々な形態のものとすることができる。
【符号の説明】
【００３１】
Ａ  改装ドア
１  既設ドア枠
１１  戸当側縦枠
１２  ヒンジ
２  新設ドア
２１  気密材
２２  ドアクローザー
２３  郵便受
３  プッシュプル錠
３１  錠ケース
３２  ラッチ
３３  カバー
３４  ハンドル
３５  台座
４  ラッチ受
４１  ラッチ受孔
４２  サムターン用ラッチ受孔
５  添設部材
５１  ラッチ受孔
５２  サムターン用ラッチ受孔
５３  受箱
【図１】
2010222789.tif 000003
【図２】
2010222789.tif 000004
【図３】
2010222789.tif 000005
【図４】
2010222789.tif 000006
【図５】
2010222789.tif 000007
【図６】
2010222789.tif 000008
【図７】
2010222789.tif 000009
【図８】
2010222789.tif 000010
【図９】
2010222789.tif 000011
【図１０】
2010222789.tif 000012